(57)【要約】【課題】パネル体に開口を形成して窓材を設けるにあたり、止水性よく、しかも、容易に取り付けることができるように構成する。【解決手段】パネル体２を、本体部２ａの上下縁部に上下側折り返し片２ｂ、２ｃが形成されたものとし、本体部２ａに形成された開口部２ｉに透明プレート体１７と押さえプレート１９とをあてがい、これらの左右の縁部にあてがわれる長尺状の支持プレート２０を、螺子孔２１ａを備えたナット２１を設けるとともに、長尺方向両端部にパネル体２の上下側空隙部ＵＳ、ＤＳに嵌入する上下側抜け止め片２０ｄ、２０ｅを形成し、螺子孔２１ａに螺入した螺子２２を透明プレート体１７と押さえプレート１９との周縁部に突き当てて緊締し、上下側折り返し片２ｂ、２ｃを押圧する支持プレート２０の押圧力を受けた螺子２２が、透明プレート体１７と押さえプレート１９とをパネル体２に押し付け状に支持する構成とする。【選択図】図７
2009057746.tif 000002
【特許請求の範囲】
【請求項１】
対向する一対の縁部に裏面に対向するよう折り返された折り返し片を備えてなるパネル体において、パネル体に開口部を形成して窓材を設けるにあたり、窓材は、開口部の孔縁に積層する窓材の周縁部に配される長尺状の支持プレートにより支持されるものとし、前記支持プレートは、螺子孔が形成されるとともに、長尺方向両端部がパネル体の裏面と折り返し片とのあいだの空隙部に嵌入して裏面側に抜け止めされるよう構成し、前記螺子孔に螺入した螺子を裏面側から窓材に突き当てて緊締して、支持プレートが折り返し片を押圧する押圧力を受けて螺子が窓材をパネル体に押し付け状に支持する構成としたパネル体の窓材支持構造。
【請求項２】
窓材は四角形状に形成されるものとし、支持プレートに螺入される螺子は、窓材のコーナー部を押圧するように構成されている請求項１に記載のパネル体の窓材支持構造。
【請求項３】
支持プレートの両端部は、パネル体端縁部と折り返し片との対向間に仮保持されるように構成されている請求項１または２に記載のパネル体の窓材支持構造。
【発明の詳細な説明】
【技術分野】
【０００１】
本発明は、建築物の出入り口部に設けられる建築用開閉装置の開閉体等を構成するパネル体の窓材支持構造の技術分野に属するものである。
【背景技術】
【０００２】
一般に、この種パネル体のなかには、複数のパネル体を揺動自在に連結して、倉庫やガレージ等の建築物の出入り口部を開閉する建築用開閉装置の開閉体として用いるようにすることがある。この場合に、パネル体を金属製板材等の非透光性部材で構成したものでは、開閉体で出入り口部を閉鎖すると屋内側が暗くなってしまうため、開閉体の中間部に位置するパネル体に透光性部材（例えば採光窓）を嵌め込んで屋内に採光できるようにしたものが提唱されている。この場合に、パネル体に開口部を形成し、該開口部に窓材を嵌め込むことになるが、従来では、開口部の孔縁に封止材としてのビード（クッション材）を設け、該ビードに対して窓材の周縁部を嵌め込むようにしたものが知られているが、このようにした場合、開口部のコーナー部の形状をＲ状にしなければならず、窓部の意匠が限定されるという問題がある。
【０００３】
この改善策として、窓材に予めビードを介して枠材を組み込んで窓ユニットとし、該窓ユニットを、パネル体の開口部に取り付けるように構成したもの（特許文献１）や、パネル体の裏面に窓部材を設け、該窓部材をパネル体の裏面側に裏パネル部材を設けることで、パネル体と裏パネル部材とのあいだに支持するように構成したもの（特許文献２）が提唱されている。
【特許文献１】実用新案登録公報第２５７１７９１号
【特許文献２】特開平２００５−１２０６００号
【発明の開示】
【発明が解決しようとする課題】
【０００４】
ところが、前記従来のものは、何れも窓部の形状を多様化することには対応できるが、前記特許文献１のものは、窓ユニットとパネル体の開口部とのあいだに別途封止構成が必要になって、構成が複雑になるという問題がある。また、特許文献２のものは、パネル体と裏パネル材とのあいだに窓材を挟み込み、裏パネルをパネル体に螺子止めする構成であるが、裏パネル材とパネル体との螺子止め部は、開口部に組み込まれる窓材から離れた部位でなされるため、開口部の孔縁に対する窓材の押圧力を大きく確保することができず、パネル体開口部と窓材とのあいだの封止が充分になされないことが想定されて問題がある。さらには、何れのものも、パネル体に窓材を取り付けるための螺子止め用孔が必要になるという欠点があるばかりでなく、該孔が腐蝕の要因となるという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、対向する一対の縁部に裏面に対向するよう折り返された折り返し片を備えてなるパネル体において、パネル体に開口部を形成して窓材を設けるにあたり、窓材は、開口部の孔縁に積層する窓材の周縁部に配される長尺状の支持プレートにより支持されるものとし、前記支持プレートは、螺子孔が形成されるとともに、長尺方向両端部がパネル体の裏面と折り返し片とのあいだの空隙部に嵌入して裏面側に抜け止めされるよう構成し、前記螺子孔に螺入した螺子を裏面側から窓材に突き当てて緊締して、支持プレートが折り返し片を押圧する押圧力を受けて螺子が窓材をパネル体に押し付け状に支持する構成としたパネル体の窓材支持構造である。
請求項２の発明は、窓材は四角形状に形成されるものとし、支持プレートに螺入される螺子は、窓材のコーナー部を押圧するように構成されている請求項１に記載のパネル体の窓材支持構造である。
請求項３の発明は、支持プレートの両端部は、パネル体端縁部と折り返し片との対向間に仮保持されるように構成されている請求項１または２に記載のパネル体の窓材支持構造である。
【発明の効果】
【０００６】
請求項１の発明とすることにより、パネル体に止着用の貫通孔を設けることなく、窓材を開口部に止水性よく取り付けることができるうえ、窓材をパネル体の裏面側からの作業だけで取り付けることができて作業性が向上する。
請求項２の発明とすることにより、開口部近傍に窓材を強く押し付けることができて、止水効果を一層高めることができる。
請求項３の発明とすることにより、支持プレートによる窓材の支持作業を、作業性よく行なうことができる。
【発明を実施するための最良の形態】
【０００７】
つぎに、本発明の実施の形態の一例について図面に基づいて説明する。
図中、１は建築用開閉装置であるオーバーヘッド式ドアを構成するドア体であって、該ドア体１は、金属製薄板材で構成される左右方向長尺状に形成されたパネル体２の複数枚を上下方向に連結することにより構成されるが、各パネル体２の左右端部および左右方向中間部にそれぞれ配される第一、第二連結部材３、４を用いて連結することにより、隣接パネル体２同士が揺動自在（折曲自在）な状態になるように構成されている。
【０００８】
一方、Ｇは建築物の出入り口部を構成する躯体両側部に固定される左右一対のガイドレールであって、出入り口部両側に沿う垂直レール部５と、天井部に沿う水平レール部６と、前記垂直レール部５と水平レール部６とのあいだに位置するＲ状レール部７とを備えて略Ｌ字形となる状態で一体的に形成されている。そして、これら各レール部５、６、７は、底片５ａ、６ａ、７ａと、これら底片５ａ、６ａ、７ａを挟む一対のガイド片５ｂ、６ｂ、７ｂとを備えて断面コ字形をしたガイド溝に構成されており、これら各ガイド溝を連通状に連結することによりガイドレールＧが形成されている。そして、前記ガイドレールＧを、ドア体１の左右両端部から外方に突出する複数のガイドローラ８が走行することにより、ドア体１はガイドレールＧの移動案内を受けるように設定されており、これら基本的な構成は従来通りとなっている。
【０００９】
そして、前記左右一対のガイドレールＧのうち、一方（本実施の形態では、図１の図面において向かって左側）のガイドレール水平部６の屋内側端部（裏面側の端部）には開閉機９が配されているが、該開閉機９は、左側ガイドレール水平部６と天井面とを介して躯体に一体固定されている。
前記開閉機９は、電動モータ（図示せず）の正逆回転駆動に伴い正逆回転する螺軸９ａが屋外側に向けて延設される構成となっており、前記螺軸９ａは、左側のガイドレール水平部６の内側に隣接する状態で、開閉機９の屋外側の端部から出入り口部側である屋外側に至るように伸長する走行レール１０に回転自在に支持されている。そして、前記螺軸９ａには移動体１１が回り止め状に螺合され、電動モータの駆動により螺軸９ａが正逆回転することにより、移動体１１が走行レール１０に案内される状態で螺軸９ａ上を屋内外方向（表裏方向）に強制移動するように設定されている。そして、移動体１１の屋外側端（表面側端）には、連結体１１ａが揺動自在に連結されており、該連結体１１ａが、ドア体１の上端部に連結された角形状のパイプ材１ａに連結されている。これによって、ドア体１は、開閉機９の正逆駆動に伴う移動体１１の屋内外方向の移動がなされると左側部位が強制移動せしめられ、ガイドレールＧの垂直レール部５に位置して出入り口部の閉鎖をする全閉姿勢と、水平レール部６に位置して出入り口部の開放をする全開姿勢とのあいだを開閉作動するように設定されている。
【００１０】
一方、前記左右一対のガイドレールＧの水平レール部６の下方には、屋内外方向に長いケース体１２が躯体に固定される状態でそれぞれ一体的に設けられている。前記左右のケース体１２は、ガイドレール水平部６と略同形状であるが、それぞれ左右方向内側が開口するように形成されている。そして、各ケース体１２の屋外側部位にはコイル状のバランス弾機（引っ張り弾機）１３が屋内外方向を向く状態でそれぞれ収容されており、各バランス弾機１３の屋外側端部１３ａは、ケース体１２の屋外側端面１２ａ（躯体側）に固定され、屋内側端部１３ｂは、可動スプロケット１４を介して吊持体１５がそれぞれ連結されている。そして、各吊持体１５は、ガイドレール水平部６およびケース体１２の屋内外両端部にそれぞれ軸承された固定スプロケット１６、１６ａを経由してドア体１の最下端に位置する最下端パネル体２の左右両端部にそれぞれ連結されるように設定されている。これによって、ドア体１は、開閉機９の駆動力に基づく開閉作動力の作用に伴う出入り口部の開閉作動において、閉鎖作動をすることによりバランス弾機１３に開放方向の付勢力が付勢され、ドア体１の開放作動を補助するように構成されてドア体１の軽快な開閉作動がなされるように構成されている。
このとき、ドア体１とバランス弾機１３とを連結する吊持体１５が懸回される可動スプロケット１４は動滑車として機能することにより、ドア体１の開閉ストロークに対しバランス弾機１３の伸縮ストロークを半分にすることができ、部材装置のコンパクト化が図れるように構成されている。
【００１１】
つぎに、ドア体１の構成について説明するが、該説明は、ドア体１が出入り口部を閉鎖している姿勢を基準として記載する。
ドア体１を構成する各パネル体２は、パネル面を構成する本体部２ａの上縁部に位置して屋内側方向下側（裏面側から下方）に向けて折り返され、本体部２ａの裏面に対向する上側折り返し片部２ｂが折曲形成され、下縁部に位置して屋内側方向上側（裏面側から上方）に向けて折り返されたものがさらに下方に向けて折り返され、本体部２ａの裏面に対向する下側折り返し片部２ｃが折曲形成され、各折り返し片部２ｂ、２ｃと、本体部２ａとのあいだに上側空隙部ＵＳと下側空隙部ＤＳとが形成されている。そして、これら各パネル体２の屋内側（裏面側）から、左右両端部に第一連結部材３を、左右方向中間部に第二連結部材４をそれぞれ設けることにより、隣接するパネル体２同士を折曲自在（揺動自在）な連結がなされるとともに、パネル体２（ドア体１）の強度アップを図るように設定されている。
尚、これら第一、第二連結部材３、４は、それぞれ樹脂材を一体型成形したもので構成されており、第一連結部材３については、左右勝手違いの第一連結部材３がパネル体２の左右両側部にそれぞれ設けられている。
【００１２】
前記第一連結部材３は、上下縁部に位置し、パネル体２の上下側空隙部ＵＳ、ＤＳに内嵌される上下側嵌合片部３ａ、３ｂと、これら上下側嵌合片部３ａ、３ｂとを連結する中間プレート部３ｃとを備えて構成されている。さらに、第一連結部材３の上端部には屋内側、かつ、上方に突出する状態で連結片３ｄが形成され、下端部には二股状に分岐する連結受け片３ｅが屋内側、かつ、下方に突出する状態で形成されている。また、第一連結部材３は、上端部に位置してガイドレール５に嵌挿するガイドローラ８の軸部８ａを支持するための支持孔３ｆが形成されている他、左右方向外端縁部の上下端部に位置して係止爪３ｇ、３ｈが形成されている。これら係止爪３ｇ、３ｈは屋内外方向への弾性変形が可能な状態で一体形成されており、第一連結部材３をパネル体２の左右方向外方から組み込むことにより、係止爪３ｇ、３ｈが、パネル体２の左右両端部に開設された上下の係止受け孔２ｄ、２ｅにそれぞれ係合するように設定されており、これによって、第一連結部材３はパネル体２に対して一体的（抜止め状）な装着ができるように構成されている。
【００１３】
また、パネル体２の左右方向中間部を連結する第二連結部材４は、パネル体２の左右幅によっては必ずしも装着する必要のある部材ではないが、該第二連結部材４は、パネル体２に形成される上側空隙部ＵＳの下方、下側空隙部ＤＳの上方の半部にそれぞれ内嵌される上下側嵌合片部４ａ、４ｂと、これら上下側嵌合片部４ａ、４ｂとを連結する中間プレート部４ｃとを備えて構成されている。さらに、第二連結部材４の上端部には連結片４ｄが屋内側、かつ、上方に突出する状態で形成され、下端部には二股状に分岐する連結受け片４ｅが屋内側に突出し、かつ、下方に突出する状態で形成されている。また、第二連結部材４は、左右一対の連結受け片４ｅが分岐する部位の屋外側面に位置決め突部４ｆが形成されており、該位置決め突部４ｆを、パネル体２の下側折り返し片部２ｃに形成された貫通孔２ｆに嵌入させることで、パネル体２に対する位置決め、そして、外れ止め（抜け止め）がなされるように構成されている。
このように構成された第二連結部材４は、各パネル体２に対し、屋内側面の左右方向中央部位で、かつ、上下方向中間部位に位置し、上下側嵌合片部４ａ、４ｂが左右に位置する姿勢として対向せしめ、この状態から、第二連結部材４を回転させることにより、上側嵌合片部４ａをパネル体２の上側空隙部ＵＳに、下側嵌合片部４ｂを下側空隙部ＤＳに嵌合（装着）させることができるように構成されており、該装着時に、位置決め突部４ｆをパネル体２の貫通孔２ｆに嵌入させるように設定されている。
【００１４】
そして、上下に隣接するパネル体２同士は、下側に位置するパネル体２の第一連結部材連結片３ｄを、上側に位置するパネル体２の第一連結部材連結受け片３ｅの二股間に嵌入させ、これらを連結ピン３ｉを用いて連結するとともに、下側に位置するパネル体２の第二連結部材連結片４ｄを、上側に位置するパネル体２の第二連結部材連結受け片４ｅの二股間に嵌入させ、これらを連結ピン４ｇを用いて連結することにより、パネル体２同士が揺動自在（折曲自在）に連結されるように設定されている。
【００１５】
ここで、本実施の形態のオーバーヘッド式ドアは、垂直レール部５の上端部に出し入れ口５ｃが形成されており、該出し入れ口５ｃからパネル体２を順次嵌挿することにより、ドア体１のガイドレールＧへの組み込みができるように構成されている。つまり、バランス弾機１３に連結される吊持体１５を最下端のパネル体２に連結し、該吊持体１５が連結された最下端のパネル体２を出し入れ口５ｃを介して垂直レール部５内に嵌挿して組み込み（落とし込み）、続いてパネル体２を一枚づつ、あるいは、適宜枚数（複数枚）づつ垂直レール部５に嵌挿させながら、順次隣接するパネル体２同士を第一、第二連結部材３、４により連結するように設定されている。このとき、最上端のパネル体２をガイドレールＧに嵌挿して下方のパネル体２と連結して出入り口部を閉鎖する状態となることにより、ドア体１の荷重とバランス弾機１３の付勢力とが自動的にバランスされた状態となるように構成されている。
【００１６】
また、前記パネル体２は、上側折り返し片部２ｂを屋内（裏面）側に退避させて形成することにより、傾斜状の段差面２ｇを備えた退避凹部２ｈが形成されている。これに対し、第一、第二連結部材３、４は、パネル体面板２の形状に沿うべく、上下側嵌合片部３ａ、４ａを屋内側に退避させて形成することにより、傾斜状の段差面３ｊ、４ｈを備えた退避凹部３ｋ、４ｉが形成されている。そして、第一、第二連結部材３、４が装着されたパネル体２同士を連結したとき、上側に位置するパネル体２（第一、第二連結部材３、４）の下端部（下側折り返し片２ｃ、下側嵌合片部３ｂ、４ｂ）が下側に位置するパネル体２（第一、第二連結部材３、４）の退避凹部２ｈ（第一、第二連結部材退避凹部３ｋ、４ｉ）の屋外側に積層状に配設されるように設定されている。
【００１７】
このように複数のパネル体２を連結して構成されるドア体１において、予め設定される部位のパネル体２の本体部２ａには予め採光窓Ｗが設けられており、本実施の形態では、図１に示すように、上方部位のパネル体２に左右方向に複数の（本実施の形態では四つ）の採光窓Ｗが配設されている。
つぎに、採光窓Ｗの詳しい構成を説明するが、各採光窓Ｗは何れも同様の構成であるので、前記四つの採光窓Ｗのうちの一つについて、図６〜９の図面を用いて説明する。
２ｉは、前記パネル体２のパネル体本体部２ａに形成された採光窓Ｗ用の開口部であって、該開口部２ｉの孔縁に、本発明の窓材の構成部材である透明プレート（本実施の形態では樹脂材で形成されている）１７の外周縁部がパネル体２の屋内側（裏面側）からあてがわれるように設定されている。前記透明プレート１７は、パネル体開口部２ｉと同形状となるように設定された厚板部１７ａの外周に、屋外側の面部を切り欠くことで薄板部１７ｂが形成されたものに構成されており、厚板部１７ａを開口部２ｉに嵌入状に組み込むことにより、薄板部１７ｂがパネル体開口部２ｉの孔縁に積層状にあてがわれるように設定されている。このとき、開口部２ｉの裏面側の孔縁には、封止材としてのビード１８の基端部１８ａが設けられており、該基端部１８ａは、透明プレート１７の外周縁部である薄板部１７ｂとのあいだに積層状に挟み込まれるように設定されている。尚、ビード１８は、開口部２ｉの孔形状に合わせて予め型成形されており、孔縁に嵌着する基端部１８ａと該基端部１８ａから開口部２ｉ側に延出し、透明プレート１７の屋外側面（表面）に沿って延出する先端部１８ｂとを備えて四角形状に形成されている。
そして、前記透明プレート１７には押さえプレート１９が屋内側（裏面側）からあてがわれるが、該押さえプレート１９は、薄板部１７ｂと同様の外形状で、中央部に四角形状の開口孔１９ａが形成されたものに形成されており、該開口孔１９ａの形状は、透明プレート１７の厚板部１７ａの外形状よりも小さく厚板部１７ａに積層してパネル体２の開口２ｉの内側に延出しているが、該押さえプレート１９は、ビード１８の先端部１８ｂにより覆われて屋外側から見ることはできないように構成されている。
【００１８】
２０は窓部材である透明プレート１７と押さえプレート１９とをパネル体２に押圧状に支持する支持プレートであって、該支持プレート２０は、樹脂材で一体型成形されたものであり、透明プレート１７の左右の薄板部１７ｂと同様の板幅Ｈを備えて構成されている。ここで、支持プレート２０の板幅は、必ずしも透明プレート薄板部１７ｂと同幅に限定されることはなく、後述する螺子２２を止着することが可能で、かつ、パネル体本体部２ａの開口２ｉ側にはみ出すことのない寸法であればよい。さらに、支持プレート２０の上下長さＬは、パネル体２の上下長さＬ１よりも短いが、上下の折り返し片２ｂ、２ｃの対向間隔Ｌ２よりも長く（Ｌ１＞Ｌ＞Ｌ２）設定された上下方向長尺状の本体プレート部２０ａを備えて構成されている。そして、前記本体プレート部２０ａの左右の端縁部には、屋内外両方向に突出する左右一対の屋内側リブ２０ｂと左右一対の屋外側リブ２０ｃとがそれぞれ一体形成されている。また、本体プレート部２０ａの上下端部は、前記パネル体２の上下側空隙部ＵＳ、ＤＳの形状にそれぞれ対応して形成された上下側抜け止め片２０ｄ、２０ｅが一体形成されている。前記上側抜け止め片２０ｄは、屋外側リブ２０ｃを切り欠いた形状とすることにより上側空隙部ＵＳの下側部分に嵌入可能となっており、下側抜け止め片２０ｅは屋外側に突出する形状とすることにより下側空隙部ＤＳの上側部分に嵌入可能な形状となっている。
さらに、本体プレート部２０ａの上下方向二箇所には、屋外側に向けて突出する状態で膨出部２０ｆが形成され、該膨出部２０ｆには、屋内側に位置して本発明の螺子孔２１ａの構成部材となるナット２１を回り止め状に内嵌するべく六角形状の外形のナット収容部２０ｇが形成され、さらに、ナット収容部２０ｇの屋外側には、ナット２１に螺合する螺子２２の先端部が遊嵌する円形状の貫通孔２０ｈが形成されており、ナット２１の螺子孔２１ａと貫通孔２０ｈとは、屋内外方向貫通状に形成されている。
【００１９】
そして、一対の支持プレート２０が、パネル体２の開口部２ｉにあてがわれた透明プレート１７と押さえプレート１９との積層部における左右両端部に位置してそれぞれ積層状にあてがわれて、透明プレート１７と押さえプレート１９とを支持するように設定されるが、各支持プレート２０は、前記第二連結部材４と同様にパネル体２に組み込まれるように設定されている。つまり、支持プレート２０は、長尺方向を左右方向に向けた姿勢として押さえプレート１９の裏面に沿わせ、この状態から支持プレート２０を回転させて上側抜け止め片２０ｄを上側空隙部ＵＳに、下側抜け止め片２０ｅを下側空隙部ＤＳに嵌合させることでパネル体２に組み込まれ、支持プレート２０の裏面側への抜け止めがなされる状態となるように構成されている。ここで、上下側抜け止め片２０ｄ、２０ｅの形状は上下側空隙部ＵＳ、ＤＳに対して小さな隙間を存するように設定されており、これによって、前記組み込み状態において、支持プレート２０がパネル体２の上下側空隙部ＵＳ、ＤＳに仮保持されるように設定されている。
また、前記組み込み状態において、屋外側リブ２０ｃの屋外側端面と押さえプレート１９の屋内側面とのあいだには隙間が形成されるように設定されているとともに、支持プレート２０に形成された膨出部２０ｆ（ナット収容部２０ｇおよび貫通孔２０ｈ）は、押さえプレート１９のコーナー部（透明プレート薄板部１７ｂのコーナー部）に対向するように設定されている。
【００２０】
そして、左右の支持プレート２０に設けられる都合四つのナット２１の螺子孔２１ａに裏面側から螺子２２を螺入することにより、螺子２２の螺入先端面２２ａが、押さえプレート１９の各コーナー部（四隅）に対向するように設定されている。この状態から各螺子２２を螺入することにより、螺入先端面２２ａが押さえプレート１９のコーナー部の裏面に達し、この状態において、さらなる螺子２２の螺入をすることにより、支持プレート２０が裏面側に変位せしめられ、支持プレート２０の裏面側（屋内側）への移動規制をする（抜け止めする）上下側折り返し片部２ｂ、２ｃを押圧（圧接）する緊締状態となるように設定されており、この状態になると、支持プレート２０の折り返し片部２ｂ、２ｃへの押圧力がそのままパネル体本体部２ａ側に向く力となって螺子２２の螺入先端面２２ａに作用して、螺入先端面２２ａが、押さえプレート１９と透明プレート１７との各コーナー部をパネル体本体部２ａ側（屋外側）に向けて押圧するように設定されている。これによって、透明プレート１７は、各コーナー部が螺子２２の螺入先端面２２ａにより開口部２ｉの孔縁に直接押し付けられる状態で止水性よく支持することができるように構成されている。
【００２１】
叙述の如く構成された本形態において、ドア体１は、開閉機９の正逆駆動に伴い、出入り口部両側に設けられたガイドレールＧによる移動案内を受けて出入り口部の開閉作動をする。そして、このものにおいて、任意のパネル体２には複数の採光窓Ｗが設けられていて、ドア体１の全閉時にあっても採光できるように構成されている。そして、この場合に、採光窓Ｗを構成する透明プレート１７は、左右両側縁部にあてがわれた支持プレート２０により支持されるが、支持プレート２０は、上下両端部が上下側抜け止め片２０ｄ、２０ｅとなってパネル体２の上下側空隙部ＵＳ、ＤＳに嵌入して裏面側への抜け止めがなされているので、支持プレート２０に配されたナット２１に螺合した螺子２２を緊締することで、支持プレート２０が上下側折り返し片２ｂ、２ｃを押圧する押圧力がそのまま螺子２２が受けることになって、螺子２２の螺入先端面２２ａが、透明プレート１７と押さえプレート１９とをパネル体本体部２ａに向けて押圧し、これによって、透明プレート１７と押さえプレート１９とが開口部２ｉの孔縁近傍において直接押圧される状態で支持されている。この結果、各採光窓Ｗは、開口部２ｉと透明プレート１７とのあいだに配したビード１８による封止が効果的に実施され、採光窓Ｗの屋外側に付着した雨水等が屋内側に浸入するのが防止されて止水効果（防水性）の高い採光窓Ｗとすることができる。
しかも、このものでは、螺子２２は透明プレート１７と押さえプレート１９とを押圧する構成であり、透明プレート１７、押さえプレート１９、パネル体本体部２ａに貫通孔を形成することなく透明プレート１７と押さえプレート１９とをパネル体２に支持させることができるので、パネル体２に止着用の貫通孔を形成する必要がなくなってパネル体２を簡単な構成にできるばかりでなく、貫通孔部位から腐蝕してしまうような不具合がなく、そのうえ、意匠性に優れたものにすることができる。
さらに、このものでは、採光窓Ｗを取り付ける場合に、透明プレート１７、押さえプレート１９トを開口部２ｉにあてがう作業、支持プレート２０をあてがう作業、螺子２２を緊締する作業を、全てパネル体２の裏面側から行なうことができるので、取り付け作業の作業性が向上する。
【００２２】
さらに、本発明が実施されたものでは、支持プレート２０に配されたナット２１に螺入される螺子２２は、パネル体本体部２ａに形成された開口部２ｉ近傍の透明プレート１７と押さえプレート１９とのコーナー部に突き当てられ、該部位をパネル体本体部２ａ側に押圧する構成としたので、開口部２ｉ近傍に対して透明プレート１７と押さえプレート１９とを強固に押し付けることができて止水効果を一層高めることができる。
【００２３】
さらに、このものでは、支持プレート２０の上下側抜け止め片２０ｄ、２ｅをパネル体２の上下側空隙部ＵＳ、ＤＳに嵌合させることにより仮保持された状態にできるので、一対の支持プレート２０の位置合わせや、螺子２２の螺合作業が容易になって、作業性を向上できる。
【図面の簡単な説明】
【００２４】
【図１】オーバーヘッド式ドアの概略斜視図である。
【図２】オーバーヘッド式ドアの一部を切り欠いた平面図である。
【図３】オーバーヘッド式ドアの一部を切り欠いた側面図である。
【図４】ガイドレール部の側面図である。
【図５】図５（Ａ）、（Ｂ）はそれぞれパネル体の側面図、正面図である。
【図６】採光窓の取り付け状態を説明する正面図である。
【図７】図７（Ａ）、（Ｂ）はそれぞれ図６におけるＸ−Ｘ断面図、Ｙ−Ｙ断面図である。
【図８】図８（Ａ）、（Ｂ）はそれぞれ透明プレートの正面図、側面図、図８（Ｃ）、（Ｄ）はそれぞれ押さえプレートの正面図、側面図である。
【図９】図９（Ａ）、（Ｂ）、（Ｃ）、（Ｄ）はそれぞれ支持プレートの背面図、側面図、図９（Ａ）のＸ−Ｘ断面図、正面図である。
【符号の説明】
【００２５】
１    ドア体
２    パネル体
３    第一連結部材
４    第二連結部材
５    垂直レール部
８    ガイドローラ
１７    透明プレート
１８    ビード
１９    押さえプレート
２０    支持プレート
２０ｆ    膨出部
２１    ナット
２２    螺子
【図１】
2009057746.tif 000003
【図２】
2009057746.tif 000004
【図３】
2009057746.tif 000005
【図４】
2009057746.tif 000006
【図５】
2009057746.tif 000007
【図６】
2009057746.tif 000008
【図７】
2009057746.tif 000009
【図８】
2009057746.tif 000010
【図９】
2009057746.tif 000011